(57)【要約】      （修正有）【課題】印刷に関する品質の向上を図ることができるカード処理装置および発券機を提供する。【解決手段】カード処理装置１は、温度検出部１９と、サーマルヘッド３５，３６と、制御部とを持つ。温度検出部は、搬送路１２に送られたカードの温度を検出する。サーマルヘッドは、カードを加熱する。制御部は、温度検出部の検出結果に基づき、カードに対するサーマルヘッドの加熱量を制御する。【選択図】図２
2017052143.tif 000002
【特許請求の範囲】
【請求項１】
搬送路に送られたカードの温度を検出する温度検出部と、
前記カードを加熱するサーマルヘッドと、
前記温度検出部の検出結果に基づき、前記カードに対する前記サーマルヘッドの加熱量を制御する制御部と、
を備えたカード処理装置。
【請求項２】
前記温度検出部は、前記搬送路に面して配置された、
請求項１に記載のカード処理装置。
【請求項３】
前記温度検出部は、前記搬送路に対して前記サーマルヘッドと同じ側に配置され、前記サーマルヘッドが加熱する前記カードの表面に面する、
請求項２に記載のカード処理装置。
【請求項４】
前記温度検出部は、前記カードが前記搬送路の途中で停止した状態で、前記カードに面して前記カードの温度を検出する、
請求項２または請求項３に記載のカード処理装置。
【請求項５】
前記搬送路に面して配置されたアンテナをさらに備え、
前記温度検出部は、前記カードが前記アンテナに面する位置で停止して前記カードと前記アンテナとの間で無線通信が行われる状態で、前記カードに面して前記カードの温度を検出する、
請求項４に記載のカード処理装置。
【請求項６】
請求項１から請求項５のいずれか一項に記載のカード処理装置を備えた発券機。
【発明の詳細な説明】
【技術分野】
【０００１】
本発明の実施形態は、カード処理装置および発券機に関する。
【背景技術】
【０００２】
画像データに応じてカードを加熱することで、カードの表面に文字や絵柄を印刷するカード処理装置が知られている。また、カード処理装置は、カードを加熱することで、カードの表面に既に印刷されている印刷を消去する場合もある。
ところで、上記のようなカード処理装置は、印刷に関する品質の向上が期待されている。なお本願で言う「印刷に関する品質」とは、印刷自体の品質（狭義でいう印刷品質）に加え、印刷がどれだけきれいに消去されるかを示す品質（いわゆる消去品質）を含む広い意味で用いる。
【先行技術文献】
【特許文献】
【０００３】
【特許文献１】特開２００９−２８２８３７号公報
【発明の概要】
【発明が解決しようとする課題】
【０００４】
本発明が解決しようとする課題は、印刷に関する品質の向上を図ることができるカード処理装置および発券機を提供することである。
【課題を解決するための手段】
【０００５】
実施形態のカード処理装置は、温度検出部と、サーマルヘッドと、制御部とを持つ。前記温度検出部は、搬送路に送られたカードの温度を検出する。前記サーマルヘッドは、前記カードを加熱する。前記制御部は、前記温度検出部の検出結果に基づき、前記カードに対する前記サーマルヘッドの加熱量を制御する。
【図面の簡単な説明】
【０００６】
【図１】ひとつの実施形態の発券機の構成例を示す図。
【図２】上記実施形態のカード処理装置の構成例を示す側面図。
【図３】上記実施形態のカード処理装置のシステム構成を示すブロック図。
【図４】上記実施形態のカード処理装置の処理流れの一例を示すフローチャート。
【発明を実施するための形態】
【０００７】
以下、実施形態のカード処理装置および発券機を、図面を参照して説明する。なお以下の説明では、同一または類似の機能を有する構成に同一の符号を付す。そして、それらの重複する説明は省略する場合がある。
【０００８】
図１から図４を参照して、ひとつの実施形態のカード処理装置１と、このカード処理装置１を備えた発券機２について説明する。
【０００９】
まず、発券機２について説明する。
本実施形態の発券機２は、例えば、鉄道の駅に設置されて乗車券を発行する乗車券発行機である。乗車券の一例は、定期券である。例えば、発券機２は、ＩＣカードである定期券を発行する。このため、本実施形態の発券機２は、「券売機」や「定期券発行機」、または「ＩＣカード発行機」などと称されてもよい。なお、本実施形態の構成は、上記例に限らず、様々な分野においてカードを取り扱う種々の機器に広く適用可能である。
【００１０】
図１は、本実施形態の発券機２の構成例を示す。
図１に示すように、発券機２は、カード処理装置１、表示部５、操作部６、および料金収受部７を有する。
【００１１】
カード処理装置１は、例えば、ＩＣカード１００を取り扱うＩＣカード処理装置である。ＩＣカード１００は、「カード」の一例である。ＩＣカード１００は、カード本体１０１と、カード本体１０１に実装されたＩＣチップ１０２およびアンテナ１０３を有する。ＩＣチップ１０２およびアンテナ１０３は、「通信部」の一例を形成する。また、ＩＣチップ１０２は、各種情報を記憶する記憶部の一例を形成する。ただし、カード処理装置１が取り扱うカードは、ＩＣカード以外のカード（すなわち、ＩＣチップを有しないカード）でもよい。なお以下では、ＩＣカード１００を単に「カード１００」と称する。
【００１２】
本実施形態のカード処理装置１は、カード１００と無線通信を行い、カード１００のＩＣチップ１０２に対して各種情報の読み出し、書き込み、および消去を行う。また、カード処理装置１は、カード１００の表面に印刷などを行う。なお、カード処理装置１の詳細については後述する。
【００１３】
表示部５は、カード１００の購入や更新に関する情報、および操作部６を通じて入力された情報などを表示する。操作部６は、カード１００の購入や更新に関する各種の入力操作を受け付ける。料金収受部７は、カード１００の購入や更新に必要な料金の支払いに関する処理を行う。
【００１４】
次に、カード処理装置１について詳しく説明する。
図２は、カード処理装置１の構成例を示す側面図である。
図２に示すように、カード処理装置１は、カード投入口１１、搬送路１２、複数の駆動ローラ１３、複数のピンチローラ１４、無線通信部１５、印刷処理部１６、カードホッパ部１７、複数の位置センサ１８、温度検出部１９、および制御部２０（図３参照）を備える。
【００１５】
カード投入口１１は、後述する搬送路１２の一端部に設けられる。カード投入口１１は、カード処理装置１の操作者（発券機２の操作者）からカード１００を受け取る。カード投入口１１は、該カード投入口１１に投入されたカード１００を搬送路１２に導く。また、カード投入口１１は、カード１００を排出する排出口でもある。すなわち、カード投入口１１は、カード処理装置１内での処理が終了したカード１００を、カード処理装置１の外部に向けて排出する。
【００１６】
搬送路１２は、カード投入口１１からカード処理装置１の内部に延びている。カード投入口１１に投入されたカード１００は、搬送路１２に沿ってカード処理装置１の内部を移動する。本実施形態では、カード１００は、搬送路１２に案内されることで、カード投入口１１からカード１００の内部に向かう第１方向Ｄ１と、該第１方向Ｄ１とは反対方向の第２方向Ｄ２とに移動可能である。
【００１７】
複数の駆動ローラ１３および複数のピンチローラ１４は、搬送路１２に沿ってそれぞれ並べられている。各ピンチローラ１４は、搬送路１２に対して駆動ローラ１３とは反対側に配置され、駆動ローラ１３に対向する。
【００１８】
複数の駆動ローラ１３は、搬送モータ２１（図３参照）によって回転される。搬送モータ２１は、例えば、ステッピングモータであり、後述する制御部２０によって制御される。駆動ローラ１３が回転すると、駆動ローラ１３と当接するピンチローラ１４も回転する。カード１００は、駆動ローラ１３とピンチローラ１４との間に挟まれ、摩擦力によって駆動ローラ１３の回転方向に搬送される。カード１００は、駆動ローラ１３によって、上述の第１方向Ｄ１と第２方向Ｄ２とに搬送される。
【００１９】
無線通信部１５は、搬送路１２に面して配置されるアンテナ３１を有する。なお、ここで言う「搬送路に面して」とは、「電波が放射される面を搬送路に向けて」の意味である。すなわち、「搬送路に面して」とは、搬送路とアンテナとの間に、例えば絶縁性のカバーなどが存在する場合も含む。
【００２０】
無線通信部１５は、アンテナ３１を通じて、カード１００の通信部と無線通信可能である。無線通信部１５は、無線通信によって、カード１００のＩＣチップ１０２に対して所定の処理を行う。例えば、無線通信部１５は、カード１００に記憶された情報の読み出し、カード１００に対する情報の書き込み、およびカード１００に記憶された情報の消去などを行う。
【００２１】
本実施形態では、無線通信部１５は、搬送路１２に沿う方向において、印刷処理部１６とカードホッパ部１７との間に位置する。なお、無線通信部１５の位置は、上記例に限定されない。
【００２２】
本実施形態では、カード１００と無線通信部１５との間で無線通信が行われる場合、カード１００の搬送が一旦停止される。すなわち、カード１００は、搬送路１２の途中で無線通信部１５のアンテナ３１に面する位置で、一旦停止される。無線通信部１５は、カード１００が一旦停止された状態で、カード１００と無線通信を行う。そして、カード１００と無線通信部１５との間の無線通信が完了すると、カード１００は、目的地に向けて再び搬送される。なお、ここで言う「アンテナに面する位置」も、上記と同様に、例えば絶縁性のカバーのような他の部材が搬送路とアンテナとの間に存在する場合を含む。
【００２３】
印刷処理部１６は、カード１００に対して印刷に関する処理を行う。本実施形態では、印刷処理部１６は、印刷用サーマルヘッド３５と、消去用サーマルヘッド３６とを有する。印刷用サーマルヘッド３５は、例えば所望の画像データに応じてカード１００を加熱することで、カード１００の表面に文字や絵柄を印刷する。例えば、印刷用サーマルヘッド３５は、カード１００の表面に定期券の区間や有効期限などを印刷する。一方で、消去用サーマルヘッド３６は、カード１００を加熱することで、カード１００の表面に印刷されている印刷を消去する。
【００２４】
なお、印刷処理部１６は、消去用サーマルヘッド３６が省略されてもよい。例えば、印刷処理部１６は、カード１００に印刷されている印刷を消去する代わりに、印刷用サーマルヘッド３５によってカード１００の表面に×印などを印刷してもよい。また、印刷処理部１６は、一つのサーマルヘッドが、印刷用サーマルヘッド３５と消去用サーマルヘッド３６の両方の機能を兼ね備えてもよい。
【００２５】
カードホッパ部１７は、カード投入口１１とは反対側の搬送路１２の端部に位置する。カードホッパ部１７は、複数枚の未使用のカード１００を収容する。カードホッパ部１７は、図示しない操出モータと操出ローラとによって、該カードホッパ部１７に収容されているカード１００を搬送路１２に供給する。
【００２６】
複数の位置センサ１８は、搬送路１２における複数個所に分かれて配置される。位置センサ１８は、カード１００の通過位置を検知する位置検出センサであり、搬送路１２に面して配置される。位置センサ１８は、例えば透過型センサであり、搬送路１２の両側に分かれて配置される投光器と受光器とを含む。位置センサ１８は、受光器が受け取る光が明から暗になると、ＩＣカード１００が当該位置センサ１８の設置箇所を通過中であることを検知する。また、位置センサ１８は、受光器が受け取る光が暗から明になると、ＩＣカード１００が当該位置センサ１８の設置箇所を通過し終えたことを検知する。各位置センサ１８の検知結果は、後述する制御部２０へ送られる。
【００２７】
温度検出部１９は、カード１００の温度を検出する温度検出センサである。温度検出部１９は、搬送路１２に面して配置される。温度検出部１９は、搬送路１２を通るカード１００に面することで、カード１００の温度（例えばカード１００の表面温度）を直接に検出する。温度検出部１９は、検出したカード１００の温度に関する情報を、制御部２０に送る。なお、温度検出部１９は、非接触式の温度センサでもよいし、カード１００に接する部分を有した接触式の温度センサでもよい。
【００２８】
図２に示すように、温度検出部１９は、搬送路１２に対して、例えばサーマルヘッド３５，３６と同じ側に配置される。これにより、温度検出部１９は、カード１００のなかで、サーマルヘッド３５，３６が加熱するカード１００の表面（印刷対象面）と同じ表面に面する。
【００２９】
本実施形態では、温度検出部１９は、カード１００が搬送路１２の途中で停止した状態で、カード１００に面してカード１００の温度を検出する。例えば、温度検出部１９は、無線通信部１５の近傍に設けられる。温度検出部１９は、カード１００が無線通信部１５のアンテナ３１に面する位置で一旦停止してカード１００と無線通信部１５との間で無線通信が行われる状態で、カード１００に面してカード１００の温度を検出する。例えば、温度検出部１９は、搬送路１２に対して、無線通信部１５のアンテナ３１とは反対側に位置する。このため、温度検出部１９は、カード１００がアンテナ３１に面する状態でも、カード１００に面してカード１００の温度を検出することができる。
【００３０】
次に、制御部２０について説明する。
図３は、カード処理装置１のシステム構成を示すブロック図である。
図３に示すように、制御部２０は、搬送モータ２１、無線通信部１５、印刷処理部１６、およびカードホッパ部１７の各種動作を制御する。また、制御部２０は、位置センサ１８および温度検出部１９からそれぞれの検出結果を受け取る。制御部２０は、例えば、ＣＰＵ、ＲＯＭ、およびＲＡＭを含む制御回路で形成される。
例えば、制御部２０は、位置センサ１８から受け取る検出結果に基づき、搬送モータ２１の動作を制御する。また本実施形態では、制御部２０は、温度検出部１９から受け取る検出結果に基づき、カード１００に対する加熱量を制御する。
【００３１】
次に、カード１００に対する加熱量の制御について詳しく説明する。
本実施形態の制御部２０は、温度検出部１９の検出結果に基づき、カード１００に対するサーマルヘッド３５，３６の加熱量（印加エネルギー）を制御する。すなわち、制御部２０は、温度検出部１９の検出結果に基づき、カード１００に対するサーマルヘッド３５，３６の加熱量の最適値を計算する。そして、制御部２０は、計算で求められた最適値に基づき、カード１００に対する加熱量を変更する。
【００３２】
なお、カード１００に対する加熱量の変更は、例えばカード１００の加熱時間を変更することで行うことができる。また、カード１００の加熱時間の変更は、サーマルヘッド３５，３６に対するカード１００の送り速度（搬送速度）を変更することで行うことができる。なお、カード１００に対する加熱量の変更は、上記例に限られない。例えば、カード１００に対する加熱量の変更は、サーマルヘッド３５，３６に供給する電圧を変更することで行われてもよい。
【００３３】
本実施形態では、印刷処理部１６は、印刷の消去時に、カード１００を第１加熱量で加熱することで、カード１００に印刷されている印刷を消去する。また、印刷処理部１６は、印刷時に、カード１００を第２加熱量で加熱することで、カード１００に新しい印刷を印刷する。そこで、本実施形態の制御部２０は、温度検出部１９の検出結果に基づき、前記第１加熱量（すなわち消去時の加熱量）と、前記第２加熱量（すなわち印刷時の加熱量）の両方を制御する。例えば、制御部２０は、カード１００の複数の温度と、それら温度に対する第１加熱量および第２加熱量の最適値とが対応付けられて管理されたテーブルを予め記憶している。制御部２０は、温度検出部１９の検出結果と上記テーブルとに基づき、カード１００に対するサーマルヘッド３５，３６の加熱量の最適値を計算する。
【００３４】
次に、本実施形態のカード処理装置１の処理流れについて説明する。
図４は、カード処理装置１の処理流れの一例を示すフローチャートである。
ここでは、まず、使用中のカード１００が更新される場合について説明する。
【００３５】
図４に示すように、使用中のカード１００が更新される場合、使用中のカード１００が、カード投入口１１に投入される（ステップＳ１１）。カード投入口１１に投入されたカード１００は、駆動ローラ１３によって、無線通信部１５のアンテナ３１に面する位置まで搬送される（ステップＳ１２）。
【００３６】
無線通信部１５のアンテナ３１に面する位置まで搬送されたカード１００は、その位置で一旦停止される。無線通信部１５は、停止中のカード１００に対して、無線通信によって情報の書き込み、読み出し、消去などを行う（ステップＳ１３）。
このとき、温度検出部１９は、停止中のカード１００に面している。温度検出部１９は、無線通信部１５による通信と並行して、カード１００の表面温度を測定する（ステップＳ１４）。温度検出部１９は、カード１００の温度に関する検出結果を、制御部２０に送る。
無線通信部１５による通信および温度検出部１９による温度検出が完了すると、カード１００は、駆動ローラ１３によって、印刷処理部１６に向けて搬送される。
【００３７】
制御部２０は、カード１００が印刷処理部１６に向けて搬送される間に、温度検出部１９によって検出されたカード１００の温度に基づき、カード１００に対する第１加熱量および第２加熱量の最適値を計算する。例えば、制御部２０は、カード１００の温度（例えばカード１００の表面温度）の標準値（標準温度）と、カード１００に対する加熱量（印加エネルギー）の標準値（標準加熱量）とを予め記憶している。そして、制御部２０は、温度検出部１９によって検出されたカード１００の温度と、前記標準温度とを比較する（ステップＳ１５）。
【００３８】
制御部２０は、温度検出部１９によって検出されたカード１００の温度が前記標準温度よりも高い場合（ステップＳ１５：ＹＥＳ）、カード１００に対する加熱量（印加エネルギー）が前記標準加熱量に比べて低減するように、加熱量の最適値を計算する（ステップＳ１６）。一方で、制御部２０は、温度検出部１９によって検出されたカード１００の温度が前記標準温度よりも低い場合（ステップＳ１５：ＮＯ）、カード１００に対する加熱量（印加エネルギー）が前記標準加熱量に比べて増加するように、加熱量の最適値を計算する（ステップＳ１７）。
【００３９】
カード１００が消去用サーマルヘッド３６に送られると、消去用サーマルヘッド３６は、制御部２０によって計算された第１加熱量の最適値に応じて、カード１００を加熱する。これにより、カード１００の表面に印刷されている印刷が消去される。
その後、カード１００が印刷用サーマルヘッド３５に送られると、印刷用サーマルヘッド３５は、制御部２０によって計算された第２加熱量の最適値に応じて、カード１００を加熱する。これにより、カード１００の表面に新しい文字や絵柄が印刷される（ステップＳ１８）。
【００４０】
消去および印刷が完了したカード１００は、駆動ローラ１３によってカード投入口１１まで搬送される。そして、カード１００は、カード投入口１１からカード処理装置１の外部に向けて排出される（ステップＳ１９）。
【００４１】
次に、新規のカード１００が発行される場合について説明する。
図４に示すように、新規のカード１００が発行される場合、カードホッパ部１７から未使用のカード１００が搬送路１２に送り出される（ステップＳ２１）。搬送路１２に送り出されたカード１００は、駆動ローラ１３によって、無線通信部１５のアンテナ３１に面する位置まで搬送される。その後は、新規のカード１００が発行される場合と同様の手順で処理が行われる。なお、新規のカード１００は、カードホッパ部１７から供給されることに代えて、カード投入口１１から投入されてもよい。
【００４２】
以上のような構成のカード処理装置１および発券機２によれば、印刷に関する品質の向上を図ることができる。
ここで、比較例として、サーマルヘッドに内蔵されたサーミスタや、サーマルヘッドの周辺に配置された温度センサによって、サーマルヘッドまたはサーマルヘッドの近傍空間の温度を測定し、カードに対する加熱量を調整するカード処理装置について考える。このようなカード処理装置でも、カードの温度と、サーマルヘッドの周辺温度とが比較的近い場合には、良好な印刷または消去を行うことができる。
【００４３】
しかしながら、カードの温度と、サーマルヘッドの周辺温度との間に大きな乖離がある場合がある。例えば、冬場において、屋外にいた乗客が持っていたカードは、サーマルヘッドの周辺温度に比べて冷えている場合がある。また、冬場において、暖房によって暖められた空間にいた乗客が持っていたカードは、サーマルヘッドの周辺温度に比べて温かい場合がある。
【００４４】
例えば、カードの実際の温度がサーマルヘッドの周辺温度に比べて低い場合、サーマルヘッドの近傍空間の温度を測定してカードに対する加熱量を調整すると、カードに対する加熱量が不足する場合がある。この場合、例えば、印刷の消え残りが生じたり、印刷が薄くなる場合がある。
一方で、カードの実際の温度がサーマルヘッドの周辺温度に比べて高い場合、サーマルヘッドの近傍空間の温度を測定してカードに対する加熱量を調整すると、カードに対する加熱量が過多になる場合がある。この場合、例えば、消色部分が発色したり、カードやサーマルヘッドの劣化が早くなる場合がある。
【００４５】
そこで、本実施形態のカード処理装置１は、温度検出部１９と、サーマルヘッド３５，３６と、制御部２０とを持つ。温度検出部１９は、搬送路１２に送られたカード１００の温度を検出する。サーマルヘッド３５，３６は、カード１００を加熱する。制御部２０は、温度検出部１９の検出結果に基づき、カード１００に対するサーマルヘッド３５，３６の加熱量を制御する。
【００４６】
このような構成によれば、カード１００の温度と、サーマルヘッド３５，３６の周辺温度との間に乖離がある場合でも、カード１００の実際の温度に応じて、カード１００に対する加熱量を調整することができる。例えば、カード１００が冷えている場合には、カード１００に対する加熱量を増加させることで、印刷の消え残りを抑制したり、印刷の発色性を高めたり、印刷むらを小さくしたりすることができる。また、カード１００が温かい場合には、カード１００に対する加熱量を低減することで、消色部分の発色を抑制することができる。また、カード１００に対する加熱量を低減することで、カード１００やサーマルヘッド３５，３６の劣化を抑制し、カード１００やサーマルヘッド３５，３６の長寿命化を図ることができる。さらに、カード１００に対する加熱量を低減することで、余分なエネルギー消費を抑え、省エネ化を実現することもできる。
【００４７】
本実施形態では、印刷処理部１６は、カード１００を第１加熱量で加熱することで、カード１００に印刷されている印刷を消去する。また、印刷処理部１６は、カード１００を第２加熱量で加熱することで、カード１００に新しい印刷を印刷する。そして、制御部２０は、温度検出部１９の検出結果に基づき、前記第１加熱量と前記第２加熱量の両方を制御する。
ここで、カード１００のリライトが可能なカード処理装置１では、印刷時の印刷温度と、印刷の消去時の消去温度とがそれほど大きく違わないため、カード１００に対する加熱量の細やかな管理が必要になる。しかしながら、上記構成によれば、カード１００の実際の温度に応じて、印刷の消去時の加熱量と、印刷時の加熱量とを細やかに管理することができるので、印刷の消え残りや、消色部分の発色をさらに確実に抑制することができる。
【００４８】
本実施形態では、温度検出部１９は、搬送路１２に面して配置される。
このような構成によれば、カード１００の温度検出の精度を高めるこができる。これにより、カード１００に対する加熱量の最適化をさらに高いレベルで実現することができ、印刷に関する品質のさらなる向上などを図ることができる。
【００４９】
本実施形態では、温度検出部１９は、搬送路１２に対してサーマルヘッド３５，３６と同じ側に配置され、サーマルヘッド３５，３６が加熱するカード１００の表面に面する。
このような構成によれば、サーマルヘッド３５，３６によって加熱されるカード１００の表面（印刷対象面）の温度を温度検出部１９によって直接に検出することができる。これにより、カード１００に対する加熱量の最適化をさらに高いレベルで実現することができる。
【００５０】
本実施形態では、温度検出部１９は、カード１００が搬送路１２の途中で停止した状態で、カード１００に面してカード１００の温度を検出する。
このような構成によれば、カード１００が停止中の状態でカード１００の温度を検出することができるので、カード１００の温度検出の精度を高めるこができる。これにより、カード１００に対する加熱量の最適化をさらに高いレベルで実現することができる。
【００５１】
本実施形態では、カード処理装置１は、搬送路１２に面して配置されたアンテナ３１をさらに備える。温度検出部１９は、カード１００がアンテナ３１に面する位置で停止してカード１００とアンテナ３１との間で無線通信が行われる状態で、カード１００に面してカード１００の温度を検出する。
このような構成によれば、カード１００とアンテナ３１との間の無線通信の時間を利用してカード１００の温度を検出することができる。このため、カード１００を停止させてカード１００の温度を検出しても、搬送の遅延が生じることを抑制することができる。
【００５２】
本実施形態の発券機２によれば、上述したカード処理装置１を備えているため、印刷に関する品質の向上や、カード１００および発券機２の長寿命化、省エネ化などを図ることができる。
【００５３】
以上、ひとつの実施形態の構成について説明したが、実施形態の構成は、上記例に限定されない。例えば、各構成部品の配置は、上記例に限られない。例えば、無線通信部１５および温度検出部１９は、カードホッパ部１７と印刷処理部１６との間に代えて、カード投入口１１と印刷処理部１６との間に配置されてもよい。また、温度検出部１９は、無線通信部１５から離れた場所に配置されてもよい。
【００５４】
以上説明した少なくともひとつの実施形態によれば、カード処理装置は、搬送路に送られたカードの温度を検出する温度検出部と、前記温度検出部の検出結果に基づき、前記カードに対する前記サーマルヘッドの加熱量を制御する制御部とを持つ。これにより、印刷に関する品質の向上を図ることができる。
【００５５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５６】
１…カード処理装置、２…発券機、１２…搬送路、１９…温度検出部、２０…制御部、３１…アンテナ、３５，３６…サーマルヘッド、１００…カード。
【図１】
2017052143.tif 000003
【図２】
2017052143.tif 000004
【図３】
2017052143.tif 000005
【図４】
2017052143.tif 000006